(57)【要約】【課題】  ポータルサイトで登録したお気に入り情報を商品提供業者のサイトに自動的に引き継ぐようにして、商品提供業者のサイトへの訪問者数を増加させること。【解決手段】  ポータル装置３０は訪問者端末１０からサイト訪問者が気に入った商品に関する情報をお気に入りとして登録要求された際にポータルお気に入り情報を作成してポータルお気に入りＤＢ３４に登録し、業者装置２０は訪問者端末１０からお気に入りリストの取得要求があった際にサイト訪問者を識別する情報を付してポータルお気に入り情報の引継要求を送信し、ポータル装置３０は引継要求を受けるとポータルお気に入りＤＢ３４から指定されたサイト訪問者のポータルお気に入り情報を抽出して返送し、業者装置２０は業者お気に入りＤＢ２４の業者お気に入り情報に受信したポータルお気に入り情報を加えてお気に入りリストを作成して訪問者端末１０に返送する。【選択図】      図１
2006259979.tif 000002
【特許請求の範囲】
【請求項１】
ポータルサイトをインターネットに開設するポータル装置と、商品提供業者サイトをインターネットに開設する業者装置と、サイト訪問者が使用する訪問者端末を有する商品情報の引継システムであって、
ポータル装置は、商品提供業者サイトから依頼された商品を識別する商品番号を含む商品情報を保持するポータル商品データベースと、サイト訪問者が登録要求した商品の商品番号を含むポータルお気に入り情報を保持するポータルお気に入りデータベースを有し、
訪問者端末からお気に入りの登録要求があった際にポータル商品データベースから得た商品番号とサイト訪問者を識別する情報とを関連づけてポータルお気に入り情報を作成してポータルお気に入りデータベースに登録し、
業者装置からサイト訪問者を識別する情報を付した引継要求を受けるとポータルお気に入りデータベースから指定されたサイト訪問者のポータルお気に入り情報を抽出して返送し、
業者装置は、商品提供業者サイトの商品情報を保持する業者商品データベースと、各サイト訪問者が登録要求した商品に関する情報を業者お気に入り情報として保持する業者お気に入りデータベースを有し、
訪問者端末からお気に入りリストの取得要求があった際にサイト訪問者を識別する情報を付して引継要求をポータル装置に送信し、
ポータル装置からポータルお気に入り情報を受信すると、業者お気に入りデータベースに保持した業者お気に入り情報に受信したポータルお気に入り情報を加えて業者商品データベースを参照しお気に入りリストを作成して訪問者端末に返送することを特徴とする引継システム。
【請求項２】
前記業者装置は前記ポータル装置から取得した前記ポータルお気に入り情報を前記業者お気に入りデータベースに追加して保持することを特徴とする請求項１の引継システム。
【請求項３】
前記ポータルお気に入り情報は、前記ポータルサイトへのサイト訪問者を識別する情報であるポータル会員番号と、前記商品番号と、商品提供業者を識別する業者コードを含み、
前記業者装置は前記引継要求にポータル会員番号と業者コードを付して送信し、
前記ポータル装置は、前記引継要求を受けるとポータルお気に入りデータベースから該当する会員番号と業者コードのポータルお気に入り情報を抽出して返送することを特徴とする請求項１又は２の引継システム。
【請求項４】
前記業者装置は、前記商品提供業者サイトでサイト訪問者を識別する業者会員番号、引継要求先となる前記ポータルサイトの前記ポータル会員番号及び前記ポータルサイトを識別するサイト番号を関連づけて保持する業者会員データベースを有し、
お気に入りリストの取得要求のあったサイト訪問者の業者会員番号に対応する前記ポータル会員番号とサイト番号を前記業者会員データベースから抽出し、抽出したサイト番号の前記ポータル装置に対して抽出したポータル会員番号と自身の業者コードを付して前記引継要求することを特徴とする請求項３の引継システム。
【請求項５】
ポータルサイトをインターネットに開設するポータル装置と、商品提供業者サイトをインターネットに開設する業者装置と、サイト訪問者が使用する訪問者端末を有する商品情報の引継システムであって、
ポータル装置は、商品提供業者サイトから依頼された商品を識別する商品番号を含む商品情報を商品提供業者サイトを識別する業者コードと関連づけて保持するポータル商品データベースと、サイト訪問者が登録要求した商品の商品番号を含むポータルお気に入り情報を保持するポータルお気に入りデータベースを有し、
訪問者端末からお気に入りの登録要求があるとポータルお気に入り情報を作成してポータルお気に入りデータベースに登録するとともに業者装置に対してお気に入りの引継要求を送信し、
業者装置は、商品提供業者サイトが提供する商品情報を保持する業者商品データベースと、サイト訪問者が指定した商品に関する情報を業者お気に入り情報としてサイト訪問者毎に保持する業者お気に入りデータベースを有し、
引継要求を受信すると対応するサイト訪問者の業者お気に入り情報に追加して業者お気に入りデータベースに登録し、
訪問者端末からお気に入りリストの取得要求があった際に、業者お気に入りデータベースと業者商品データベースを参照してお気に入りリストを作成して訪問者端末に返送することを特徴とする引継システム。
【請求項６】
前記ポータル装置は、前記ポータルお気に入り情報を前記業者お気に入りデータベースに引き継ぐように指定された業者装置を識別する業者コードと前記業者装置でサイト訪問者を識別する業者会員番号をポータル装置でサイト訪問者を識別するポータル会員番号と関連づけたポータル会員情報をサイト訪問者毎に保持するポータル会員データベースを有し、
前記ポータル商品データベースは商品情報と関連づけて業者コードを保持し、
サイト訪問者が前記ポータルお気に入り情報を登録する際に、前記ポータル会員データベースの対応するポータル会員情報に前記ポータル商品データベースから抽出した業者コードが含まれる場合に前記引継要求を対応する前記業者装置に送信することを特徴とする請求項５の引継システム。
【請求項７】
ポータルサイトをインターネットに開設するポータル装置とサイト訪問者が使用する訪問者端末とインターネットで接続し商品提供業者サイトをインターネットに開設する業者装置であって、
商品提供業者サイトの商品情報を保持する業者商品データベースと、各サイト訪問者が登録要求した商品に関する情報を業者お気に入り情報として保持する業者お気に入りデータベースを有し、
訪問者端末からお気に入りリストの取得要求があった際にサイト訪問者を識別する情報を付して引継要求をポータル装置に送信し、
ポータル装置からポータルお気に入り情報を受信すると、業者お気に入りデータベースに保持した業者お気に入り情報に受信したポータルお気に入り情報を加えて業者商品データベースを参照しお気に入りリストを作成して訪問者端末に返送することを特徴とする業者装置。
【請求項８】
前記ポータル装置から取得した前記ポータルお気に入り情報を前記業者お気に入りデータベースに追加して保持することを特徴とする請求項７の業者装置。
【請求項９】
前記商品提供業者サイトでサイト訪問者を識別する業者会員番号、引継要求先となる前記ポータルサイトでサイト訪問者を識別するポータル会員番号及び前記ポータルサイトを識別するサイト番号を関連づけて保持する業者会員データベースを有し、
お気に入りリストの取得要求のあったサイト訪問者の業者会員番号に対応するポータル会員番号とサイト番号を業者会員データベースから抽出し、抽出したサイト番号の前記ポータル装置に対して抽出したポータル会員番号と自身の業者コードを付して前記引継要求することを特徴とする請求項７又は８の業者装置。
【請求項１０】
商品提供業者サイトをインターネットに開設する業者装置とサイト訪問者が使用する訪問者端末とインターネットで接続しポータルサイトをインターネットに開設するポータル装置であって、
商品提供業者サイトから依頼された商品を識別する商品番号を含む商品情報を商品提供業者サイトを識別する業者コードと関連づけて保持するポータル商品データベースと、サイト訪問者が登録要求した商品の商品番号を含むポータルお気に入り情報を保持するポータルお気に入りデータベースを有し、
訪問者端末からお気に入りの登録要求があるとポータルお気に入り情報を作成してポータルお気に入りデータベースに登録するとともに業者装置に対してお気に入りの引継要求を送信し、
業者装置でお気に入り情報を保持する業者お気に入りデータベースにポータルお気に入り情報を追加して登録することを特徴とするポータル装置。
【請求項１１】
前記ポータルお気に入り情報を前記業者お気に入りデータベースに引き継ぐように指定された業者装置を識別する業者コードと前記業者装置でサイト訪問者を識別する業者会員番号をポータル装置でサイト訪問者を識別するポータル会員番号と関連づけたポータル会員情報をサイト訪問者毎に保持するポータル会員データベースを有し、
前記ポータル商品データベースは商品情報と関連づけて業者コードを保持し、
サイト訪問者が前記ポータルお気に入り情報を登録する際に、前記ポータル会員データベースの対応するポータル会員情報に前記ポータル商品データベースから抽出した業者コードが含まれる場合に前記引継要求を対応する前記業者装置に送信することを特徴とする請求項１１のポータル装置。
【請求項１２】
ポータルサイトをインターネットに開設するポータル装置と、商品提供業者サイトをインターネットに開設する業者装置と、サイト訪問者が使用する訪問者端末を有する商品情報の引継方法であって、
ポータル装置は、商品提供業者サイトから依頼された商品を識別する商品番号を含む商品情報を保持するポータル商品データベースと、サイト訪問者が登録要求した商品の商品番号を含むポータルお気に入り情報を保持するポータルお気に入りデータベースを有し、
訪問者端末からお気に入りの登録要求があった際にポータル商品データベースから得た商品番号とサイト訪問者を識別する情報とを関連づけてポータルお気に入り情報を作成してポータルお気に入りデータベースに登録し、
業者装置からサイト訪問者を識別する情報を付した引継要求を受けるとポータルお気に入りデータベースから指定されたサイト訪問者のポータルお気に入り情報を抽出して返送し、
業者装置は、商品提供業者サイトの商品情報を保持する業者商品データベースと、各サイト訪問者が登録要求した商品に関する情報を業者お気に入り情報として保持する業者お気に入りデータベースを有し、
訪問者端末からお気に入りリストの取得要求があった際にサイト訪問者を識別する情報を付して引継要求をポータル装置に送信し、
ポータル装置からポータルお気に入り情報を受信すると、業者お気に入りデータベースに保持した業者お気に入り情報に受信したポータルお気に入り情報を加えて業者商品データベースを参照しお気に入りリストを作成して訪問者端末に返送することを特徴とする引継方法。
【請求項１３】
前記業者装置は前記ポータル装置から取得した前記ポータルお気に入り情報を前記業者お気に入りデータベースに追加して保持することを特徴とする請求項１２の引継方法。
【請求項１４】
前記ポータルお気に入り情報は、前記ポータルサイトへのサイト訪問者を識別する情報であるポータル会員番号と、前記商品番号と、商品提供業者を識別する業者コードを含み、
前記業者装置は前記引継要求にポータル会員番号と業者コードを付して送信し、
前記ポータル装置は、前記引継要求を受けるとポータルお気に入りデータベースから該当する会員番号と業者コードのポータルお気に入り情報を抽出して返送することを特徴とする請求項１２又は１３の引継方法。
【請求項１５】
前記業者装置は、前記商品提供業者サイトでサイト訪問者を識別する業者会員番号、引継要求先となる前記ポータルサイトの前記ポータル会員番号及び前記ポータルサイトを識別するサイト番号を関連づけて保持する業者会員データベースを有し、
お気に入りリストの取得要求のあったサイト訪問者の業者会員番号に対応する前記ポータル会員番号とサイト番号を前記業者会員データベースから抽出し、抽出したサイト番号の前記ポータル装置に対して抽出したポータル会員番号と自身の業者コードを付して前記引継要求することを特徴とする請求項１４の引継方法。
【請求項１６】
ポータルサイトをインターネットに開設するポータル装置と、商品提供業者サイトをインターネットに開設する業者装置と、サイト訪問者が使用する訪問者端末を有する商品情報の引継方法であって、
ポータル装置は、商品提供業者サイトから依頼された商品を識別する商品番号を含む商品情報を商品提供業者サイトを識別する業者コードと関連づけて保持するポータル商品データベースと、サイト訪問者が登録要求した商品の商品番号を含むポータルお気に入り情報を保持するポータルお気に入りデータベースを有し、
訪問者端末からお気に入りの登録要求があるとポータルお気に入り情報を作成してポータルお気に入りデータベースに登録するとともに業者装置に対してお気に入りの引継要求を送信し、
業者装置は、商品提供業者サイトが提供する商品情報を保持する業者商品データベースと、サイト訪問者が指定した商品に関する情報を業者お気に入り情報としてサイト訪問者毎に保持する業者お気に入りデータベースを有し、
引継要求を受信すると対応するサイト訪問者の業者お気に入り情報に追加して業者お気に入りデータベースに登録し、
訪問者端末からお気に入りリストの取得要求があった際に、業者お気に入りデータベースと業者商品データベースを参照してお気に入りリストを作成して訪問者端末に返送することを特徴とする引継方法。
【請求項１７】
前記ポータル装置は、前記ポータルお気に入り情報を前記業者お気に入りデータベースに引き継ぐように指定された業者装置を識別する業者コードと前記業者装置でサイト訪問者を識別する業者会員番号をポータル装置でサイト訪問者を識別するポータル会員番号と関連づけたポータル会員情報をサイト訪問者毎に保持するポータル会員データベースを有し、
前記ポータル商品データベースは商品情報と関連づけて業者コードを保持し、
サイト訪問者が前記ポータルお気に入り情報を登録する際に、前記ポータル会員データベースの対応するポータル会員情報に前記ポータル商品データベースから抽出した業者コードが含まれる場合に前記引継要求を対応する前記業者装置に送信することを特徴とする請求項１６の引継方法。
【請求項１８】
訪問者端末からお気に入りリストの取得要求があった際に、ポータルサイトをインターネットに開設するポータル装置に対して、サイト訪問者がポータル装置で登録要求した商品に関する情報であるポータルお気に入り情報を取得するための引継要求をポータル装置でサイト訪問者を識別する情報を付して送信する手順と、
ポータル装置からポータルお気に入り情報を受信すると、各サイト訪問者が登録要求した商品に関する情報を業者お気に入り情報として保持する業者お気に入りデータベースに保持した業者お気に入り情報に受信したポータルお気に入り情報を加えた商品情報を含むお気に入りリストを作成して訪問者端末に返送する手順とをコンピュータに実行させることを特徴とするプログラム。
【請求項１９】
前記受信したポータルお気に入り情報を前記業者お気に入りデータベースに追加して保持する手順をコンピュータに実行させることを特徴とする請求項１８のプログラム。
【請求項２０】
複数の商品提供業者から依頼された商品を販売するポータルサイトをインターネットに開設するポータル装置で、サイト訪問者からお気に入りの登録要求があった際に、登録要求された商品の商品番号を含むポータルお気に入り情報を作成してポータルお気に入りデータベースに登録する手順と、
商品提供業者が自身の商品販売するための商品提供業者サイトをインターネットに開設する業者装置に対して、業者装置で登録要求された業者お気に入り情報を保持する業者お気に入りデータベースに登録したポータルお気に入り情報を追加して登録させるための引継要求を送信する手順とをコンピュータに実行させることを特徴とするプログラム。
【請求項２１】
前記引継要求を送信する手順において、
前記追加登録されたポータルお気に入り情報の商品を提供する前記業者装置を識別する業者コードが、前記ポータルお気に入り情報を前記業者お気に入りデータベースに引き継ぐように指定された前記業者装置を識別する業者コードと前記業者装置でサイト訪問者を識別する業者会員番号をポータル装置でサイト訪問者を識別するポータル会員番号と関連づけて保持するポータル会員データベースに登録されていた場合に、
前記追加登録されたポータルお気に入り情報と業者会員番号を付加して、
業者コードに対応する業者装置に前記引継要求を送信する手順をコンピュータに実行させることを特徴とする請求項２０のプログラム。
【発明の詳細な説明】
【技術分野】
【０００１】
本発明は、サイト訪問者が閲覧した商品情報の引継システム、業者装置、ポータル装置、引継方法、及びプログラムに関し、特にインターネットを介して商品販売するサイト間で商品情報を引き継ぐ技術に関する。
【背景技術】
【０００２】
近年のインターネットの普及により、インターネットを介しての通販商品の販売・購入が盛んになってきている。インターネットを介しての商品の販売はオンラインショッピングと呼ばれ、商品情報を掲載した文書をウェブページとしてインターネットに掲載し、ウェブページからサイト訪問者が商品を購入できるようになっている。ウェブページとはＷＷＷ（world wide web）上で閲覧されるテキストや画像等の情報を含んだ文書であり、例えばＨＴＭＬ（hypertext markup language）で記述される。
【０００３】
商品提供業者はインターネット上で商品を紹介し販売するためのウェブページを多数有したサイトを構築してオンラインショッピングを運営している。商品提供業者にとってサイトへの訪問数に対する商品購入の比率である商品購入率を向上させることが大きな課題であるが、商品購入率が一定であるとしても、訪問数が増加すれば商品購入数も増加することになる。そのため、商品提供業者はオンライン広告などで自サイトへの訪問を促進したり、操作性を良くしてサイト訪問者の利便性を図ったりしている。
【０００４】
また、商品提供業者によっては、多数の商品ウェブページからサイト訪問者が購入可能性のある商品を見失わないようにお気に入りとして登録しておける仕組みと、お気に入りとして登録された商品のリストを閲覧できる仕組みを用意していている。ここでいうお気に入りとは、商品を購入するためのカートとは異なる。カートはサイト訪問者がまさに今回購入したい商品とその属性、数量などを登録するものである。お気に入りはサイト訪問者が今回は購入しないが後日購入したい商品をお気に入りリストに登録して保存しておくものであり、カートのように販売側が販売の手続きで使用するものではなく、サイト訪問者の便宜を図って提供するものである。
【０００５】
商品提供業者のサイトにお気に入りの仕組みがある場合、サイト訪問者は、訪問した際にお気に入りリストに購入の可能性のある商品情報を登録しておくことができる。サイト訪問者は、後日サイトを訪問した際に、お気に入りリストがあれば、多数の商品ウェブページから再度所望の商品を探し出す操作をすることなくお気に入りのリストを利用して所望の商品ウェブページを容易に閲覧でき、購入する場合はカートに登録して購入することができる。
【０００６】
一方で、小規模の商品提供業者では、費用対効果の関係から、自サイトのオンライン広告や訪問数や商品購入率を増加させる仕組みを持つのは困難である。そこで、商品提供業者は、複数の商品提供業者の商品を集めて膨大な数の商品を抱えるオンラインショッピングのポータルサイトに商品の掲載や販売を依頼している。ポータルサイトとはサイト訪問者がインターネットに最初に接続した際に表示されるサイトであり、通常多数のユーザからアクセスされるが、ここでは多数のユーザが訪問する大規模なサイトでオンラインショッピングを提供するサイトをいう。
【０００７】
こうしたオンラインショッピングポータルサイトでは、膨大な商品の中からサイト訪問者が商品を買いやすいように、本来商品提供業者が個々に持つべきカートの代わりにオンラインショッピングポータルサイトで設けた代行カートでカート機能を提供するサービスを実施している。
【０００８】
また、オンラインショッピングポータルサイトによっては、商品提供業者が個々にお気に入りを持つ代わりに、オンラインショッピングポータルサイトとしてお気に入りを登録する仕組みやお気に入りリストの閲覧の仕組みを提供している。例えば、特開２００３−０５８７２６号公報の発明は、お気に入り情報を保持するお気に入り商品データベースを商品受注システム（サーバ）に有しており、段落００２０に記載されるように、ショッピング中に購入をためらった商品等の購入検討中の商品を、顧客自らが端末から要請することによりお気に入り商品データベースに登録・編集できるようになっている。また、お気に入り商品データベースに登録した情報は顧客の端末にも提供できるようになっている。
【０００９】
【特許文献１】特開２００３−０５８７２６号公報
【発明の開示】
【発明が解決しようとする課題】
【００１０】
代行カートのサービスのみでお気に入りのサービスを持たないオンラインショッピングポータルサイトは、カート代行機能を利用して、まさに今回購入したい商品のみをカートに登録することしかできなかった。全ての商品を後日購入する場合には、カートの中身をそのまま保存すれば後日購入は可能だが、一部の商品のみを後日購入したい場合には、後日購入する商品に関しては、最初からカートに登録し直す必要がある。
【００１１】
また、特開２００３−０５８７２６号公報の発明のようにお気に入り機能をサイトで持つことが知られているが、商品提供業者が運営する小規模のサイトでは集客が困難であり、単に商品提供業者にお気に入り機能を搭載しても訪問数を向上するのは困難である。商品提供業者は、大規模なポータルサイトに依頼して商品情報を掲載し、ポータルサイトにお気に入り機能を搭載することで、自社商品への訪問数を向上することができ、また、ポータルサイトのお気に入り機能をサイト訪問者に提供することができる。
【００１２】
しかし、サイト訪問者がポータルサイトにアクセスした時にお気に入り情報を登録した後にオンライン商品提供業者のサイトへのアクセスが誘導でき自サイトへの訪問数を向上できたとしても、商品提供業者のサイトにはポータルサイトで登録したお気に入り情報は登録されていないので、サイト訪問者は新たに商品を多数のウェブページから見つけ出すという面倒な操作をしなければならなかった。
【００１３】
本発明の目的は、ポータルサイトと商品提供業者のサイトにお気に入り機能を持ち、ポータルサイトで登録したお気に入り情報を商品提供業者のサイトのお気に入り情報に自動的に引き継ぐことができるようにして、集客力を保ったまま商品提供業者のサイトへの訪問者数を増加させて商品購入率を向上した商品情報の引継システム、業者装置、ポータル装置、引継方法、及びプログラムを提供することにある。
【課題を解決するための手段】
【００１４】
本発明の第１の引継システムは、ポータルサイトをインターネットに開設するポータル装置と、商品提供業者サイトをインターネットに開設する業者装置と、サイト訪問者が使用する訪問者端末を有する商品情報の引継システムであって、
ポータル装置は、商品提供業者サイトから依頼された商品を識別する商品番号を含む商品情報を保持するポータル商品データベースと、サイト訪問者が登録要求した商品の商品番号を含むポータルお気に入り情報を保持するポータルお気に入りデータベースを有し、
訪問者端末からお気に入りの登録要求があった際にポータル商品データベースから得た商品番号とサイト訪問者を識別する情報とを関連づけてポータルお気に入り情報を作成してポータルお気に入りデータベースに登録し、
業者装置からサイト訪問者を識別する情報を付した引継要求を受けるとポータルお気に入りデータベースから指定されたサイト訪問者のポータルお気に入り情報を抽出して返送し、
業者装置は、商品提供業者サイトの商品情報を保持する業者商品データベースと、各サイト訪問者が登録要求した商品に関する情報を業者お気に入り情報として保持する業者お気に入りデータベースを有し、
訪問者端末からお気に入りリストの取得要求があった際にサイト訪問者を識別する情報を付して引継要求をポータル装置に送信し、
ポータル装置からポータルお気に入り情報を受信すると、業者お気に入りデータベースに保持した業者お気に入り情報に受信したポータルお気に入り情報を加えて業者商品データベースを参照しお気に入りリストを作成して訪問者端末に返送することを特徴とする。
【００１５】
本発明の第２の引継システムは、本発明の第１の引継システムにおいて、前記業者装置は前記ポータル装置から取得した前記ポータルお気に入り情報を前記業者お気に入りデータベースに追加して保持することを特徴とする。
【００１６】
本発明の第３の引継システムは、本発明の第１又は第２の引継システムにおいて、前記ポータルお気に入り情報は、前記ポータルサイトへのサイト訪問者を識別する情報であるポータル会員番号と、前記商品番号と、商品提供業者を識別する業者コードを含み、
前記業者装置は前記引継要求にポータル会員番号と業者コードを付して送信し、
前記ポータル装置は、前記引継要求を受けるとポータルお気に入りデータベースから該当する会員番号と業者コードのポータルお気に入り情報を抽出して返送することを特徴とする。
【００１７】
本発明の第４の引継システムは、本発明の第３の引継システムにおいて、前記業者装置は、前記商品提供業者サイトでサイト訪問者を識別する業者会員番号、引継要求先となる前記ポータルサイトの前記ポータル会員番号及び前記ポータルサイトを識別するサイト番号を関連づけて保持する業者会員データベースを有し、
お気に入りリストの取得要求のあったサイト訪問者の業者会員番号に対応する前記ポータル会員番号とサイト番号を前記業者会員データベースから抽出し、抽出したサイト番号の前記ポータル装置に対して抽出したポータル会員番号と自身の業者コードを付して前記引継要求することを特徴とする。
【００１８】
本発明の第５の引継システムは、ポータルサイトをインターネットに開設するポータル装置と、商品提供業者サイトをインターネットに開設する業者装置と、サイト訪問者が使用する訪問者端末を有する商品情報の引継システムであって、
ポータル装置は、商品提供業者サイトから依頼された商品を識別する商品番号を含む商品情報を商品提供業者サイトを識別する業者コードと関連づけて保持するポータル商品データベースと、サイト訪問者が登録要求した商品の商品番号を含むポータルお気に入り情報を保持するポータルお気に入りデータベースを有し、
訪問者端末からお気に入りの登録要求があるとポータルお気に入り情報を作成してポータルお気に入りデータベースに登録するとともに業者装置に対してお気に入りの引継要求を送信し、
業者装置は、商品提供業者サイトが提供する商品情報を保持する業者商品データベースと、サイト訪問者が指定した商品に関する情報を業者お気に入り情報としてサイト訪問者毎に保持する業者お気に入りデータベースを有し、
引継要求を受信すると対応するサイト訪問者の業者お気に入り情報に追加して業者お気に入りデータベースに登録し、
訪問者端末からお気に入りリストの取得要求があった際に、業者お気に入りデータベースと業者商品データベースを参照してお気に入りリストを作成して訪問者端末に返送することを特徴とする。
【００１９】
本発明の第６の引継システムは、本発明の第５の引継システムにおいて、前記ポータル装置は、前記ポータルお気に入り情報を前記業者お気に入りデータベースに引き継ぐように指定された業者装置を識別する業者コードと前記業者装置でサイト訪問者を識別する業者会員番号をポータル装置でサイト訪問者を識別するポータル会員番号と関連づけたポータル会員情報をサイト訪問者毎に保持するポータル会員データベースを有し、
前記ポータル商品データベースは商品情報と関連づけて業者コードを保持し、
サイト訪問者が前記ポータルお気に入り情報を登録する際に、前記ポータル会員データベースの対応するポータル会員情報に前記ポータル商品データベースから抽出した業者コードが含まれる場合に前記引継要求を対応する前記業者装置に送信することを特徴とする。
【００２０】
本発明の第１の業者装置は、ポータルサイトをインターネットに開設するポータル装置とサイト訪問者が使用する訪問者端末とインターネットで接続し商品提供業者サイトをインターネットに開設する業者装置であって、
商品提供業者サイトの商品情報を保持する業者商品データベースと、各サイト訪問者が登録要求した商品に関する情報を業者お気に入り情報として保持する業者お気に入りデータベースを有し、
訪問者端末からお気に入りリストの取得要求があった際にサイト訪問者を識別する情報を付して引継要求をポータル装置に送信し、
ポータル装置からポータルお気に入り情報を受信すると、業者お気に入りデータベースに保持した業者お気に入り情報に受信したポータルお気に入り情報を加えて業者商品データベースを参照しお気に入りリストを作成して訪問者端末に返送することを特徴とする。
【００２１】
本発明の第２の業者装置は、本発明の第１の業者装置において、前記ポータル装置から取得した前記ポータルお気に入り情報を前記業者お気に入りデータベースに追加して保持することを特徴とする。
【００２２】
本発明の第３の業者装置は、本発明の第１又は第２の業者装置において、前記商品提供業者サイトでサイト訪問者を識別する業者会員番号、引継要求先となる前記ポータルサイトでサイト訪問者を識別するポータル会員番号及び前記ポータルサイトを識別するサイト番号を関連づけて保持する業者会員データベースを有し、
お気に入りリストの取得要求のあったサイト訪問者の業者会員番号に対応するポータル会員番号とサイト番号を業者会員データベースから抽出し、抽出したサイト番号の前記ポータル装置に対して抽出したポータル会員番号と自身の業者コードを付して前記引継要求することを特徴とする。
【００２３】
本発明の第１のポータル装置は、商品提供業者サイトをインターネットに開設する業者装置とサイト訪問者が使用する訪問者端末とインターネットで接続しポータルサイトをインターネットに開設するポータル装置であって、
商品提供業者サイトから依頼された商品を識別する商品番号を含む商品情報を商品提供業者サイトを識別する業者コードと関連づけて保持するポータル商品データベースと、サイト訪問者が登録要求した商品の商品番号を含むポータルお気に入り情報を保持するポータルお気に入りデータベースを有し、
訪問者端末からお気に入りの登録要求があるとポータルお気に入り情報を作成してポータルお気に入りデータベースに登録するとともに業者装置に対してお気に入りの引継要求を送信し、
業者装置でお気に入り情報を保持する業者お気に入りデータベースにポータルお気に入り情報を追加して登録することを特徴とする。
【００２４】
本発明の第２のポータル装置は、本発明の第１のポータル装置において、前記ポータルお気に入り情報を前記業者お気に入りデータベースに引き継ぐように指定された業者装置を識別する業者コードと前記業者装置でサイト訪問者を識別する業者会員番号をポータル装置でサイト訪問者を識別するポータル会員番号と関連づけたポータル会員情報をサイト訪問者毎に保持するポータル会員データベースを有し、
前記ポータル商品データベースは商品情報と関連づけて業者コードを保持し、
サイト訪問者が前記ポータルお気に入り情報を登録する際に、前記ポータル会員データベースの対応するポータル会員情報に前記ポータル商品データベースから抽出した業者コードが含まれる場合に前記引継要求を対応する前記業者装置に送信することを特徴とする。
【００２５】
本発明の第１の引継方法は、ポータルサイトをインターネットに開設するポータル装置と、商品提供業者サイトをインターネットに開設する業者装置と、サイト訪問者が使用する訪問者端末を有する商品情報の引継方法であって、
ポータル装置は、商品提供業者サイトから依頼された商品を識別する商品番号を含む商品情報を保持するポータル商品データベースと、サイト訪問者が登録要求した商品の商品番号を含むポータルお気に入り情報を保持するポータルお気に入りデータベースを有し、
訪問者端末からお気に入りの登録要求があった際にポータル商品データベースから得た商品番号とサイト訪問者を識別する情報とを関連づけてポータルお気に入り情報を作成してポータルお気に入りデータベースに登録し、
業者装置からサイト訪問者を識別する情報を付した引継要求を受けるとポータルお気に入りデータベースから指定されたサイト訪問者のポータルお気に入り情報を抽出して返送し、
業者装置は、商品提供業者サイトの商品情報を保持する業者商品データベースと、各サイト訪問者が登録要求した商品に関する情報を業者お気に入り情報として保持する業者お気に入りデータベースを有し、
訪問者端末からお気に入りリストの取得要求があった際にサイト訪問者を識別する情報を付して引継要求をポータル装置に送信し、
ポータル装置からポータルお気に入り情報を受信すると、業者お気に入りデータベースに保持した業者お気に入り情報に受信したポータルお気に入り情報を加えて業者商品データベースを参照しお気に入りリストを作成して訪問者端末に返送することを特徴とする。
【００２６】
本発明の第２の引継方法は、本発明の第１の引継方法において、前記業者装置は前記ポータル装置から取得した前記ポータルお気に入り情報を前記業者お気に入りデータベースに追加して保持することを特徴とする。
【００２７】
本発明の第３の引継方法は、本発明の第１又は第２の引継方法において、前記ポータルお気に入り情報は、前記ポータルサイトへのサイト訪問者を識別する情報であるポータル会員番号と、前記商品番号と、商品提供業者を識別する業者コードを含み、
前記業者装置は前記引継要求にポータル会員番号と業者コードを付して送信し、
前記ポータル装置は、前記引継要求を受けるとポータルお気に入りデータベースから該当する会員番号と業者コードのポータルお気に入り情報を抽出して返送することを特徴とする。
【００２８】
本発明の第４の引継方法は、本発明の第３の引継方法において、前記業者装置は、前記商品提供業者サイトでサイト訪問者を識別する業者会員番号、引継要求先となる前記ポータルサイトの前記ポータル会員番号及び前記ポータルサイトを識別するサイト番号を関連づけて保持する業者会員データベースを有し、
お気に入りリストの取得要求のあったサイト訪問者の業者会員番号に対応する前記ポータル会員番号とサイト番号を前記業者会員データベースから抽出し、抽出したサイト番号の前記ポータル装置に対して抽出したポータル会員番号と自身の業者コードを付して前記引継要求することを特徴とする。
【００２９】
本発明の第５の引継方法は、ポータルサイトをインターネットに開設するポータル装置と、商品提供業者サイトをインターネットに開設する業者装置と、サイト訪問者が使用する訪問者端末を有する商品情報の引継方法であって、
ポータル装置は、商品提供業者サイトから依頼された商品を識別する商品番号を含む商品情報を商品提供業者サイトを識別する業者コードと関連づけて保持するポータル商品データベースと、サイト訪問者が登録要求した商品の商品番号を含むポータルお気に入り情報を保持するポータルお気に入りデータベースを有し、
訪問者端末からお気に入りの登録要求があるとポータルお気に入り情報を作成してポータルお気に入りデータベースに登録するとともに業者装置に対してお気に入りの引継要求を送信し、
業者装置は、商品提供業者サイトが提供する商品情報を保持する業者商品データベースと、サイト訪問者が指定した商品に関する情報を業者お気に入り情報としてサイト訪問者毎に保持する業者お気に入りデータベースを有し、
引継要求を受信すると対応するサイト訪問者の業者お気に入り情報に追加して業者お気に入りデータベースに登録し、
訪問者端末からお気に入りリストの取得要求があった際に、業者お気に入りデータベースと業者商品データベースを参照してお気に入りリストを作成して訪問者端末に返送することを特徴とする。
【００３０】
本発明の第６の引継方法は、本発明の第５の引継方法において、前記ポータル装置は、前記ポータルお気に入り情報を前記業者お気に入りデータベースに引き継ぐように指定された業者装置を識別する業者コードと前記業者装置でサイト訪問者を識別する業者会員番号をポータル装置でサイト訪問者を識別するポータル会員番号と関連づけたポータル会員情報をサイト訪問者毎に保持するポータル会員データベースを有し、
前記ポータル商品データベースは商品情報と関連づけて業者コードを保持し、
サイト訪問者が前記ポータルお気に入り情報を登録する際に、前記ポータル会員データベースの対応するポータル会員情報に前記ポータル商品データベースから抽出した業者コードが含まれる場合に前記引継要求を対応する前記業者装置に送信することを特徴とする。
【００３１】
本発明の第１のプログラムは、訪問者端末からお気に入りリストの取得要求があった際に、ポータルサイトをインターネットに開設するポータル装置に対して、サイト訪問者がポータル装置で登録要求した商品に関する情報であるポータルお気に入り情報を取得するための引継要求をポータル装置でサイト訪問者を識別する情報を付して送信する手順と、
ポータル装置からポータルお気に入り情報を受信すると、各サイト訪問者が登録要求した商品に関する情報を業者お気に入り情報として保持する業者お気に入りデータベースに保持した業者お気に入り情報に受信したポータルお気に入り情報を加えた商品情報を含むお気に入りリストを作成して訪問者端末に返送する手順とをコンピュータに実行させることを特徴とする。
【００３２】
本発明の第２のプログラムは、本発明の第１のプログラムにおいて、前記受信したポータルお気に入り情報を前記業者お気に入りデータベースに追加して保持する手順をコンピュータに実行させることを特徴とする。
【００３３】
本発明の第３のプログラムは、複数の商品提供業者から依頼された商品を販売するポータルサイトをインターネットに開設するポータル装置で、サイト訪問者からお気に入りの登録要求があった際に、登録要求された商品の商品番号を含むポータルお気に入り情報を作成してポータルお気に入りデータベースに登録する手順と、
商品提供業者が自身の商品販売するための商品提供業者サイトをインターネットに開設する業者装置に対して、業者装置で登録要求された業者お気に入り情報を保持する業者お気に入りデータベースに登録したポータルお気に入り情報を追加して登録させるための引継要求を送信する手順とをコンピュータに実行させることを特徴とする。
【００３４】
本発明の第４のプログラムは、本発明の第３のプログラムの前記引継要求を送信する手順において、
前記追加登録されたポータルお気に入り情報の商品を提供する前記業者装置を識別する業者コードが、前記ポータルお気に入り情報を前記業者お気に入りデータベースに引き継ぐように指定された前記業者装置を識別する業者コードと前記業者装置でサイト訪問者を識別する業者会員番号をポータル装置でサイト訪問者を識別するポータル会員番号と関連づけて保持するポータル会員データベースに登録されていた場合に、
前記追加登録されたポータルお気に入り情報と業者会員番号を付加して、
業者コードに対応する業者装置に前記引継要求を送信する手順をコンピュータに実行させることを特徴とする。
【発明の効果】
【００３５】
本発明によれば、ポータルサイトでサイト訪問者が購入可能性のある商品に関する情報をお気に入りに登録し閲覧できるとともに、ポータルサイトで登録したお気に入り情報を商品提供業者のサイトに引き継ぐようにしたので、サイト訪問者が以外のサイトに初めアクセスしたとしてもその時のお気に入り情報を失うことなく引き継いで来られるという効果がある。従って、商品提供業者は、サイト訪問者の購買機会を見逃すことなく、訪問数を向上させ売上を向上することができる。
【発明を実施するための最良の形態】
【００３６】
次に、本発明を実施するための最良の形態について図面を参照して詳細に説明する。
図１は本発明の第１の引継システムの構成を示した図である。本発明の第１の引継システムは、訪問者端末１０と、業者装置２０と、ポータル装置３０とを有し、これらがインターネット４０で接続される。なお、図１では説明の都合で訪問者端末１０、業者装置２０、又はポータル装置３０は１つずつ示しているが特に接続数を限定するものではない。訪問者端末１０はインターネット４０に接続される端末であればその候補となりうる。
【００３７】
訪問者端末１０は、サイト訪問者が使用するパーソナルコンピュータや携帯情報機器や情報処理機能を有した携帯電話機のような情報処理機器であり、図示しないがプログラムやデータを記憶する記憶手段や、プログラムを実行してデータを処理するＣＰＵや、インターネット４０と接続してデータを交換する通信手段や、サイト訪問者がデータを入力したりデータを表示したりする入出力手段を有している。
【００３８】
業者装置２０は、オンライン商品販売をする商品提供業者がインターネット４０上に開設する業者サイトを運営する機能を有したパーソナルコンピュータやサーバ装置のような情報処理装置であり、業者処理部２１と、業者サイト部２２と、業者商品ＤＢ２３と、業者お気に入りＤＢ２４と業者会員ＤＢ３５を有している。
【００３９】
業者装置２０は、図示しないがプログラムやデータを記憶する記憶手段や、プログラムを実行してデータを処理するＣＰＵや、インターネット４０と接続してデータを交換する通信手段や、商品提供業者がデータを入力したりデータを表示したりするキーボードやマウスや表示装置や印刷装置といった入出力手段を有している。業者装置２０はその処理規模に応じて複数のサーバ装置や様々な情報機器で構成してもよい。
【００４０】
業者処理部２１は通常はプログラムで実現され、業者サイトの運営に関する処理を行い、例えば図６や図７において業者装置２０に示された処理を行う。業者サイト部２２はインターネット４０に掲載する業者サイトを構築するための様々な画面や販売する商品に関するウェブページ等を保持するために記憶手段に設けられた記憶領域である。
【００４１】
図２は、業者商品ＤＢ２３の一例を示した図である。業者商品ＤＢ２３は、販売する商品毎に商品を一意に識別するための業者商品番号、商品名、販売価格を含んだ業者商品情報を保持するデータベースであり、記憶手段に設けられる。これらの詳細情報は、全て業者商品ＤＢ２３に保持してもよいが、関連づける制御情報のみを業者商品ＤＢ２３に保持し別の記憶領域或いは別の装置に保持するようにしてもよい。業者商品ＤＢ２３の内容は業者の販売状況に伴って随時更新され、例えば、新たに入荷した商品を追加したり、売り切れとなった商品を削除したり、価格を見直しによる変更等が日々行われる。業者商品情報としてはさらに商品の写真情報や仕様等の詳細情報を含む。  図２では、例えば、業者商品情報の１つとして業者商品番号が「Ｈ１０」、商品名が「クッション」、販売価格が「１，０００円」の業者商品情報が登録されている。この参考情報である「\goods\H10.htm」は商品の詳細情報を記憶したファイル名を示しており、そのファイルに詳細情報が記憶されている。ここで、業者商品番号は業者サイト毎に一意に付与される番号であって、業者サイト毎の基準で付与することができる。
【００４２】
図３は、業者お気に入りＤＢ２４の一例を示した図である。業者お気に入りＤＢ２４はサイト訪問者が登録・編集する業者お気に入り情報を保持するデータベースであり、記憶手段に設けられる。業者お気に入りＤＢ２４はサイト訪問者毎に業者お気に入り情報を保持し、業者お気に入り情報はサイト訪問者が登録した業者商品番号とサイトを識別するサイト番号と含んでいる。サイト番号とは、「００」は自身の業者サイトを示し、「０１」はポータルサイトの１つを示している。図示しないが、サイト番号に関連づけて、そのサイト番号が示すサイトへポータルお気に入り情報を取得する際にアクセスするための情報が記憶手段に保持される。
【００４３】
図３では、この業者サイトの業者会員番号が「７８９０」で氏名が「日電太郎」のサイト訪問者の業者お気に入り情報を示しており、サイト番号が「０１」で業者商品番号が「Ｈ１０」と「Ｔ２４」の２つと、サイト番号が「００」で業者商品番号が「Ｕ０５」の計３つの商品が登録されている。業者商品番号が「Ｈ１０」と「Ｔ２４」の２つの商品はポータルサイトでお気に入りとして登録されたことを示し、業者商品番号が「Ｕ０５」の商品はこの業者サイトでお気に入りとして登録されたことを示している。
【００４４】
図４は業者会員ＤＢ３５の一例を示した図である。業者サイトで商品購入やお気に入り機能の提供のサービスを受けたいサイト訪問者は入会をする。業者会員ＤＢ２５は、入会の際にサイト訪問者に対して発行される業者会員番号と、サイト訪問者の氏名、住所、連絡先、決済情報等の個人情報を含んだ会員情報を保持するデータベースであり、記憶手段に保持される。クレジットカード等の信用取引に関する決済情報を登録することにより、商品購入時の決済をクレジットカード等の信用取引でできるようになる。さらに、お気に入りの引き継ぎサービスを希望するサイト訪問者はお気に入りの引き継ぎ元となるポータル会員番号とサイト名を入力する。業者処理部２１は入力されたサイト名をサイト番号に変換してポータル会員番号と結合し引継元情報として登録する。
【００４５】
図４では、サイト訪問者として「日電太郎」や「日本武蔵」が登録されている様子を示している。例えば、日電太郎はこの業者サイトの業者会員番号が「７８９０」であり、お気に入り引き継ぎ元のポータルサイトのポータル会員番号が「１２３４５６」でサイト名から決められたサイト番号である「０１」と連結した「０１−１２３４５４６」が引継元情報として登録されている。日本武蔵はお気に入り引き継ぎ元のポータルサイトとして引継元情報が「０１−２３４５６７」と「０２−３４５６７８」の２箇所を登録している。
【００４６】
ポータル装置３０は、インターネット４０でオンライン商品販売をする機能を含んだポータルサイトを運営する機能を有したサーバ装置のような情報処理装置であり、ポータル処理部３１と、ポータルサイト部３２と、ポータル商品ＤＢ３３と、ポータルお気に入りＤＢ３４を有している。ポータル装置３０は、図示しないがプログラムやデータを記憶する記憶手段や、プログラムを実行してデータを処理するＣＰＵや、インターネット４０と接続してデータを交換する通信手段や、商品提供業者がデータを入力したりデータを表示したりするキーボードやマウスや表示装置や印刷装置といった入出力手段を有している。ポータル装置３０はその処理規模に応じて複数のサーバ装置や様々な情報機器で構成してもよい。
【００４７】
ポータル処理部３１は通常はプログラムで実現され、ポータルサイトの運営に関する処理を行い、例えば図７や図８においてポータル装置３０で示された処理を行う。ポータルサイト部３２はインターネット４０に掲載するポータルサイトを構築するための様々な画面や販売する商品に関するウェブページ等を保持するために記憶手段に設けられた記憶領域である。
【００４８】
図５は、ポータル商品ＤＢ３３の一例を示した図である。ポータル商品ＤＢ３３は、販売する商品毎に商品を一意に識別するためのポータル商品番号、業者名、商品名、販売価格を含んだポータル商品情報を保持するデータベースであり、記憶手段に設けられる。ポータル商品情報としてはさらに商品の写真情報や仕様等の詳細情報を含む。これらの詳細情報は、全てポータル商品ＤＢ３３に保持してもよいが、関連づける情報のみをポータル商品ＤＢ３３に保持し別の記憶領域或いは別の装置に保持するようにしてもよい。
【００４９】
ポータル商品ＤＢ３３は、ポータルサイトと契約している商品提供業者から依頼された業者商品情報をポータル商品情報に変えて保持する。このため、図５に示すようにポータル商品番号は業者商品番号の先頭にその業者を一意に識別する業者コードを付した番号としている。もちろん、ポータル商品ＤＢ３３は、ポータルサイト独自で販売する商品情報を保持してもよく、その場合業者名は自身のサイト名とするか付けないようにすればよい。商品提供業者は認知度を高めてほしい自社商品をポータル商品ＤＢ３３に登録することにより広告効果を期待できる。ポータル商品ＤＢ３３の内容は随時更新され、提供元の業者商品ＤＢ２３の更新や自身の商品入荷状況・在庫状況により更新される。
【００５０】
図５では、例えば、ポータル商品番号が「Ａ−Ｈ１０」、商品名が「クッション」、販売価格が「１，０００円」のポータル商品情報が登録されている。この参考情報である「\shop\A\H10.htm」は商品の詳細情報を記憶したファイル名を示しており、そのファイルに詳細情報が記憶されている。
【００５１】
図６は、ポータルお気に入りＤＢ３４の一例を示した図である。ポータルお気に入りＤＢ３４はサイト訪問者が登録・編集するポータルお気に入り情報を保持するデータベースであり、記憶手段に設けられる。ポータルお気に入りＤＢ３４はサイト訪問者毎にポータルお気に入り情報を保持し、ポータルお気に入り情報はサイト訪問者が登録したポータル商品番号と業者名を含んでいる。
【００５２】
図６では、このポータルサイトのポータル会員番号が「１２３４５６」で氏名が「日電太郎」のサイト訪問者のポータルお気に入り情報を示しており、業者名が「Ａ社」の商品は「Ａ−Ｈ１０」と「Ａ−Ｔ２４」の２つが登録され、業者名が「Ｂ社」の商品は「Ｂ−Ｔ２４」が登録されており、業者名が「Ｃ社」の商品は「Ｃ−Ｎ５５」が登録されている。
【００５３】
ポータルサイトで商品購入やお気に入り機能の提供のサービスを受けたいサイト訪問者は入会をする。ポータル会員ＤＢ３５は入会の際にサイト訪問者に対して発行されるポータル会員番号と、サイト訪問者の氏名、住所、連絡先、決済情報等の個人情報を含んだ会員情報を保持するデータベースであり、記憶手段に保持される。図１２に示す第２の引継システムにおけるポータル会員ＤＢ３５から引継先情報を除外したものが第１の引継システムのポータル会員ＤＢ３５の内容となる。
【００５４】
次に、本発明の実施の形態の動作について図面を参照して説明する。動作についてはポータルサイトでの動作と業者サイトでの動作に分けて説明する。図７は、サイト訪問者がポータルサイトでお気に入りを登録する動作を示したフローチャートであり、図８はサイト訪問者が業者サイトでお気に入りを引き継ぐ動作を示したフローチャートである。
【００５５】
まず、図７を参照してポータルサイトでの動作を説明する。サイト訪問者は訪問者端末１０を操作してポータル装置３０が開設するポータルサイトをアクセスしさらにオンラインショッピングのウェブページを要求して閲覧する。訪問者端末１０の要求を受けたポータル装置３０のポータル処理部３１が要求されたウェブページをポータルサイト部３２から取りだして訪問者端末１０に返送し、訪問者端末１０が受け取ったウェブページをディスプレイ装置に表示することによりサイト訪問者はウェブページを閲覧できる。
【００５６】
サイト訪問者はこのウェブページからさらに別のウェブページへと切り替えて閲覧してゆき、商品の一覧が示されたウェブページ等で商品を選択してさらに詳細な商品情報を要求する操作をする。この操作がされると、訪問者端末１０はサイト訪問者の操作に従って選択した商品情報の要求をポータル装置３０へ送る（Ｓ５１）。このとき選択した商品を特定する情報としてポータル商品ＤＢ３３を検索するための情報（例えば商品番号）が要求に付加されて送られる。
【００５７】
ポータル装置３０のポータル処理部３１は商品情報の要求を受け付けると該当するポータル商品情報をポータル商品ＤＢ３３から抽出して返送する（Ｓ５２）。例えば、ポータル処理部３１はポータル商品ＤＢ３３から取りだしたポータル商品情報をサイト訪問者が見やすいようにポータルサイト部３２に保持されるウェブページのひな形に組み込んでウェブページを作成し返送する。
【００５８】
訪問者端末１０は返送されたウェブページを表示する。サイト訪問者は商品情報を閲覧し、購入するかどうか判断する。購入しない場合、サイト訪問者は後日アクセスした際に利用するためにお気に入りとして登録しておくことができる。サイト訪問者を一意に識別する情報としてポータル会員番号を用いることとする。このポータル会員番号は予め入会して取得しておいてもよいしこの際に入会して取得するようにしてもよい。
【００５９】
サイト訪問者は閲覧した商品情報をお気に入りに登録したい場合はウェブページを操作してお気に入り登録要求をする。サイト訪問者がこのときポータル会員番号を入力するか或いはポータルサイトに接続する際にポータル会員番号を入力することにより、ポータル処理部３１はポータル会員番号を認識する。サイト訪問者はcookieと呼ばれる機能を用いて二度目以降のポータル会員番号の入力操作を省略することもできる。訪問者端末１０はポータル会員番号を付加してお気に入り登録要求をポータル装置３０へ送信する（Ｓ５３）。
【００６０】
ポータル処理部３１はお気に入り登録要求を受けると、受け取ったポータル会員番号を確認して問題なければポータルお気に入りＤＢ３４へ登録する（Ｓ５４）。問題があれば要求を拒絶する。ポータル会員番号の確認とは、受け取った会員番号がポータル会員ＤＢ３５に登録されているか、また、パスワード等が必要ならその照合等を行うことをいう。
【００６１】
続いてポータル処理部３１は、登録した結果のポータルお気に入りＤＢ３４と該当するポータル商品番号でポータル商品ＤＢ３３から検索されたポータル商品情報に基づいてお気に入りリストを作成して返送する（Ｓ５５）。ポータルお気に入りＤＢ３４に登録されている商品が売り切れ等でポータル商品ＤＢ３３から削除されていた場合はその商品はお気に入りリストには掲載されないか「売り切れ」の注意付きで掲載される。商品情報と同様にお気に入りリストもウェブページとして作成して返送される。なお、お気に入りウェブページは表示した商品をサイト訪問者が選択操作すると選択された商品情報の要求ができるようになっている。
【００６２】
図９はお気に入りリストの一例を示した図であり、お気に入りリストにはポータル商品番号、業者名、商品名、価格等の情報が含まれる。なお、ポータルお気に入りＤＢ３４にポータル商品番号、業者名に加えて商品名、価格等の情報を保持することにより、容易にお気に入りリストを作成することができるが、本発明ではポータル商品情報の登録内容の変更等に容易に対応するためにこのような方法を採っている。
【００６３】
訪問者端末１０はお気に入りリストのウェブページを受信するとこれを表示する（Ｓ５６）。サイト訪問者はお気に入りリストの内容を確認することができる。図示しないが、お気に入りリストを表示するためのウェブページにお気に入りリストの編集用の機能を組み込むことにより、サイト訪問者は不用になった商品のポータルお気に入り情報の削除等の編集をすることもできる。
【００６４】
以上Ｓ５１〜Ｓ５６を繰り返すことにより、サイト訪問者は複数の商品をお気に入りリストに登録することができる。図６はサイト訪問者の「日電太郎」が４つの商品をお気に入りリストに登録した際のポータルお気に入りＤＢ３４の様子を示しており、図９はその時のお気に入りリストを示している。
【００６５】
この状態で、サイト訪問者がポータルサイトをアクセスした場合、サイト訪問者は会員番号を指定して自身のお気に入りリストの取得要求をすることができる。ポータル処理部３１は取得要求を受けるとポータルお気に入りＤＢ３４とポータル商品ＤＢ３３を参照してサイト訪問者のお気に入りリストを作成して返送する。サイト訪問者は返送されたお気に入りリストから気に入った商品の商品情報をすぐに要求して入手することができるので、所望の商品を多くのウェブページから探し出して選択するという手間を省くことができる。
【００６６】
次に、サイト訪問者が希望する商品を提供する業者について、さらに多くの商品情報を得たいと思った場合、サイト訪問者は次にその業者のサイトへアクセスする。このときの動作を図８を参照して説明する。具体的にはＡ社のサイトへアクセスする場合について説明する。
【００６７】
サイト訪問者はポータルサイトをアクセスした際にＡ社のサイトに関する情報を入手する。例えばお気に入りリストや商品を紹介するウェブページから入手する。そして訪問者端末１０を操作してＡ社のサイトへアクセスする。サイト訪問者がすでにＡ社サイトの業者会員番号を有している場合は業者会員番号を入力してお気に入りリストの取得要求をすることができる。サイト訪問者はcookieと呼ばれる機能を用いて二度目以降の業者会員番号の入力操作を省略することもできる。訪問者端末１０は業者会員番号を付加してお気に入りリストの取得要求をする（Ｓ６１）。
【００６８】
サイト訪問者が業者会員番号を持っていない場合は、入会して業者会員番号を取得する。サイト訪問者は入会の際に、氏名、住所、連絡先、クレジットカード等の決済情報に加えて、サイト訪問者がお気に入りの引き継ぎを希望する場合その引き継ぎ元のポータルサイトの会員番号も登録するようにする。入会が受け付けられると業者会員ＤＢ３５に会員情報が登録され業者会員番号が発行される。
【００６９】
業者処理部２１はお気に入り取得要求を受けると業者会員番号の確認をして問題なければ業者会員番号で業者会員ＤＢ３５を検索して引継元情報を抽出し該当するポータル装置３０に対してお気に入り引継要求を送信する（Ｓ６２）。問題があれば要求を拒絶する。業者会員番号の確認とは受け取った業者会員番号が正常に業者会員ＤＢ３５に登録されているかとか、パスワードの認証が伴えばその照合をいう。
【００７０】
ここで、引継元情報の登録がなければお気に入りの引継は実行されずその旨を訪問者端末１０に返送する。また、図４の「日本武蔵」のように引継元が２箇所登録されている場合それぞれのポータルサイトに対してお気に入り引継要求を送信する。お気に入り引継要求はサイト番号に基づいて決められているポータル装置３０に対してそのポータルサイトの会員番号を付加して送信される。
【００７１】
引継元のポータル装置３０のポータル処理部３１は、お気に入り引継要求を受け取るとお気に入り引継要求に付された会員番号を確認し、問題なければ受け取った会員番号によりポータルお気に入りＤＢ３４を検索して該当する会員番号のポータルお気に入り情報を抽出して返送する（Ｓ６３）。問題があれば要求を拒絶する。なお、ポータルお気に入り情報の抽出は、業者名を比較して行う。例えば、「日電太郎」によるＡ社からの引継要求であれば、ポータル会員番号「１２３４５６」によりポータルお気に入りＤＢ３４を参照し、図６を参照すると業者名がＡ社であるポータル商品番号「Ａ−Ｈ１０」と「Ａ−Ｔ２４］が抽出され、ポータル商品番号から業者コードを削除した業者商品番号の「Ｈ１０」と「Ｔ２４」がポータルお気に入り情報として返送される。
【００７２】
業者処理部２１はポータルお気に入り情報を受け取って業者お気に入りＤＢ２４へ追加する（Ｓ６４）。業者処理部２１はこのとき受け取った業者商品番号にサイト番号を付けて業者お気に入りＤＢ２４へ登録する。続いて業者処理部２１は、業者商品ＤＢ２３と業者お気に入りＤＢ２４を参照してお気に入りリストをウェブページとして作成して訪問者端末１０に返送する（Ｓ６５）。図１０は業者サイトで提供されるお気に入りリストの一例を示した図である。この場合、図１０の業者商品番号の「Ｕ０５」を除いた「Ｈ１０」と「Ｔ２４」がお気に入りリストとして作成される。
【００７３】
訪問者端末１０はお気に入りリストのウェブページを受信して表示する（Ｓ６６）。サイト訪問者はお気に入りリストのウェブページを操作して簡単に希望の商品の情報を閲覧したり購入したりすることができる。さらに、業者サイト内を閲覧してお気に入りリストの商品と類似する商品を見つけることもできるし、業者サイトが提供する商品情報が全てポータルサイトに掲載されるわけではないので、サイト訪問者は知らなかった商品から気に入った商品を見つけることもできる。
【００７４】
例えば、サイト訪問者日電太郎が業者サイトを閲覧して業者商品番号が「Ｕ０５」で商品名が「パソコンラック」を見つけてお気に入りに追加登録することもできる。図３は追加登録した後の日電太郎の業者お気に入り情報を示している。「Ｕ０５」は自サイトで登録したのでサイト番号は自サイトを示す「００」として登録されている。この状態で表示されるお気に入りリストは図１０のようになる。
【００７５】
このように、サイト訪問者は有名なポータルサイトで見つけた商品をポータルサイトでお気に入りとして登録した後、該当する業者サイトをアクセスした場合でも、ポータルサイトで登録したポータルお気に入り情報を自動的に引き継いでポータルサイトと同様に利用できるので、操作性が大幅に改善される。従って、サイト訪問者は操作性の抵抗なく業者サイトに入ることができるので、業者サイトはサイト訪問者を呼び込みやすくなり、サイト訪問者数の向上につながる。
【００７６】
また、サイト訪問者は引継元のポータルサイトを複数指定できる。例えば、日電太郎が２番目のポータルサイトとして、サイト番号が「０２」のサイトに会員番号を「４５６７８９」として会員登録し、Ａ社業者サイトの業者会員ＤＢ３５に引継元情報として登録しておく。Ａ社が掲載している「Ｕ０７」という商品を日電太郎がサイト番号「０２」のポータルサイトでお気に入り登録すれば、日電太郎は再度Ａ社サイトにアクセスしてお気に入り引継要求をすることにより図１１に示すように「Ｕ０７」が業者お気に入りＤＢ２４に追加される。
【００７７】
このように、商品提供業者は複数のポータルサイトに依頼して商品を掲載し、全てのポータルサイトからお気に入りを引き継ぐことができる。従って、商品提供業者は商品の認知率を上げるために複数のポータルサイトに商品を掲載しても制限なくお気に入りの引継ができるので、より広範囲の広告効果を得ることができる。
【００７８】
以上の説明では、サイト訪問者からのお気に入り引継要求に対してお気に入りリストを作成して表示するようにしていたが、お気に入りリストの代わりに、該当する商品の詳細情報も含めた商品情報を表示するようにしてもかまわない。動作はステップＳ６５で作成する対象物がお気に入りリストから商品情報に変わるだけで他は同じである。
【００７９】
また、上述の第１の引継システムの説明では、ポータルお気に入り情報の引き継ぎは、サイト訪問者が業者サイトへアクセスした後に実行していたが、サイト訪問者がポータルサイトでお気に入りの登録操作をした際にポータルお気に入りＤＢ３４への登録と同時に業者お気に入りＤＢ２４へも登録するようにした第２の引継システムについて説明する。
【００８０】
第２の引継システムの構成として、お気に入りの引継を希望するサイト訪問者は引継先の業者サイトの業者会員番号と業者サイトを指定する情報（業者名や業者コード）を引継先情報としてポータル会員ＤＢ３５に追加して登録する必要がある。図１２はこのポータル会員ＤＢ３５の一例を示した図である。また、業者会員ＤＢ２５には引継元情報であるポータル会員番号やサイト番号を登録する必要はない。
【００８１】
この第２の引継システムの動作と上述の第１の引継システムの動作との差分について説明する。ステップＳ５４において、ポータル処理部３１は指定された商品のポータルお気に入り情報をポータルお気に入りＤＢ３４に登録するとともに、ポータル会員ＤＢ３５を参照して引継先情報を抽出する。登録する商品の提供元の業者名が引継先情報に登録されているか調べ、登録されていればその業者装置２０に対してお気に入り引継要求を業者会員情報と業者商品番号を付加して送信する。登録されていなければお気に入り引継要求は実行しない。例えば、日電太郎が引継先情報として業者名の「Ａ社」と業者会員番号の「７８９０」を登録してあり、「Ａ−Ｈ１０」のお気に入り登録要求をした場合、ポータル処理部３１はＡ社の業者装置２０に対して「Ｈ１０」と「７８９０」を付加したお気に入り引継要求を送信する。
【００８２】
業者装置２０の業者処理部２１はお気に入り引継要求を受け取ると業者会員番号を確認して問題なければ業者お気に入りＤＢ２４の業者会員番号の業者お気に入り情報に業者商品番号と提供元のサイト番号を追加登録する。例えば、業者処理部２１は「７８９０」と「Ｈ１０」を付加された日電太郎のお気に入り引継要求を受け取ると、業者お気に入りＤＢ２４に保持される業者会員番号が「７８９０」の業者お気に入り情報に「Ｈ１０」とサイト番号の「０１」を追加して登録する。業者お気に入りＤＢ２４に業者会員番号が「７８９０」の業者お気に入り情報が登録されていなかった場合は新規に「Ｈ１０」とサイト番号が「０１」のお気に入り情報を業者会員番号が「７８９０」の業者お気に入り情報として業者お気に入りＤＢ２４に登録する。次にステップＳ５５進み同じ動作をする。
【００８３】
また、業者処理部２１はステップＳ６１のお気に入りリストの取得要求を受けた時、すでに業者お気に入りＤＢ２４にはポータルサイトで登録したポータルお気に入り情報に相当するお気に入り情報が登録されている。このため、ステップＳ６２〜Ｓ６４は実行する必要がないので、ステップＳ６２〜Ｓ６４をスキップしてステップＳ６５以降を実行する。業者処理部２１はステップＳ６５にてお気に入りリストを作成して返送し、ステップＳ６６で訪問者端末１０はお気に入りリストを表示する。
【００８４】
以上説明した動作以外は上述の場合と同じである。第２の引継システムでは引継処理の起動や引継に関する情報の保持をポータル装置３０側に設けるようにしているので、業者装置２０の処理能力や記憶容量に対する負担が少なくでき、商品提供業者はより安価な設備でお気に入り引継機能を実現できる。
【図面の簡単な説明】
【００８５】
【図１】本発明の第１と第２の引継システム構成を示す図である。
【図２】本発明の業者商品ＤＢ２３の一例を示した図である。
【図３】本発明の業者お気に入りＤＢ２４の一例を示した図である。
【図４】本発明の業者会員ＤＢ２５の一例を示した図である。
【図５】本発明のポータル商品ＤＢ３３の一例を示した図である。
【図６】本発明のポータルお気に入りＤＢ３４の一例を示した図である。
【図７】本発明のお気に入り登録の動作を示した図である。
【図８】本発明のお気に入り引継の動作を示した図である。
【図９】本発明のポータルサイトにおけるお気に入りリストの一例を示した図である。
【図１０】本発明の業者サイトにおけるお気に入りリストの一例を示した図である。
【図１１】本発明の業者お気に入りＤＢ２４の一例を示した図である。
【図１２】本発明の第２の引継システムのポータル会員ＤＢ２５の一例を示した図である。
【符号の説明】
【００８６】
１０    訪問者端末
２０    業者装置
２１    業者処理部
２２    業者サイト部
２３    業者商品ＤＢ
２４    業者お気に入りＤＢ
２５    業者会員ＤＢ
３０    ポータル装置
３１    ポータル処理部
３２    ポータルサイト部
３３    ポータル商品ＤＢ
３４    ポータルお気に入りＤＢ
３５    ポータル会員ＤＢ
４０    インターネット
【図１】
2006259979.tif 000003
【図２】
2006259979.tif 000004
【図３】
2006259979.tif 000005
【図４】
2006259979.tif 000006
【図５】
2006259979.tif 000007
【図６】
2006259979.tif 000008
【図７】
2006259979.tif 000009
【図８】
2006259979.tif 000010
【図９】
2006259979.tif 000011
【図１０】
2006259979.tif 000012
【図１１】
2006259979.tif 000013
【図１２】
2006259979.tif 000014